(57)【要約】【課題】器具部品の共通化を図ることができる照明システムを提供する。【解決手段】照明システムは、筐体12、光源部13および移動機構15を備える。光源部13は、発光素子26を有する光源27、およびこの光源27が熱的に接続された放熱器28を備え、筐体12に配置される。移動機構15は、それぞれ異種のレンズ32を搭載する鏡胴14を共通に取付可能とする筐体側共通取付部36を有し、筐体側共通取付部36に取り付けられた鏡胴14を筐体12に対して光源27の光軸方向に移動させる。【選択図】図１
2015095336.tif 000002
【特許請求の範囲】
【請求項１】
筐体と；
発光素子を有する光源、およびこの光源が熱的に接続された放熱器を備え、前記筐体に配置された光源部と；
それぞれ異種のレンズを搭載する鏡胴を共通に取付可能とする共通取付部を有し、前記共通取付部に取り付けられた前記鏡胴を前記筐体に対して前記光源の光軸方向に移動させる移動機構と；
を具備することを特徴とする照明システム。
【請求項２】
前記共通取付部に取り付けられるレンズを搭載した鏡胴を具備している
ことを特徴とする請求項１記載の照明システム。
【発明の詳細な説明】
【技術分野】
【０００１】
本発明の実施形態は、器具部品の共通化を図る照明システムに関する。
【背景技術】
【０００２】
従来、スタジオや舞台等で使用される照明器具としてスポットライトは、光源とレンズとの間の距離を変化させることにより、光源の光をレンズによって投光する投光円径を変化させることが可能になっている。
【０００３】
光源がハロゲンランプ等の場合には、レンズを固定とし、光源を移動させるのが一般的であったが、光源にＬＥＤを用いる場合にはＬＥＤが発生する熱を放熱するために大きな放熱器を併用する必要があることから、光源側を移動させることが困難になることがあり、そのため、光源側を固定とし、レンズ側を移動さるようにしている。
【０００４】
さらに、光源側を固定とし、レンズ側を移動さる場合には、レンズを搭載した鏡胴を光源側に対して移動させるようにした器具構造がある。
【０００５】
また、スポットライトでは、投光距離に応じて異なる焦点距離のレンズが用いられる。レンズの焦点距離が異なると、鏡胴自体の長さを変えなくてはならないため、レンズの種類毎に専用の照明器具を製造している。
【先行技術文献】
【特許文献】
【０００６】
【特許文献１】特開２０１１−１９８４７５号公報
【発明の概要】
【発明が解決しようとする課題】
【０００７】
従来は、異種のレンズに対応するために、レンズの種類毎に専用の照明器具を製造しなければならず、器具部品の共通化が望まれていた。
【０００８】
本発明が解決しようとする課題は、器具部品の共通化を図ることができる照明システムを提供することである。
【課題を解決するための手段】
【０００９】
実施形態の照明システムは、筐体、光源部および移動機構を備える。光源部は、発光素子を有する光源、およびこの光源が熱的に接続された放熱器を備え、筐体に配置される。移動機構は、それぞれ異種のレンズを搭載する鏡胴を共通に取付可能とする共通取付部を有し、共通取付部に取り付けられた鏡胴を筐体に対して光源の光軸方向に移動させる。
【発明の効果】
【００１０】
本発明によれば、異種のレンズを搭載した鏡胴以外の器具部品の共通化を図ることが可能な照明システムを提供することが期待できる。
【図面の簡単な説明】
【００１１】
【図１】一実施形態を示す照明システムを適用し、焦点距離の短いレンズを搭載した鏡胴を備えたスポットライトの側面図である。
【図２】同上焦点距離の長いレンズを搭載した鏡胴を備えたスポットライトの側面図である。
【図３】同上スポットライトのスポット状態の斜視図である。
【図４】同上スポットライトのフラッド状態の斜視図である。
【発明を実施するための形態】
【００１２】
以下、一実施形態を、図１ないし図４を参照して説明する。
【００１３】
図１ないし図４に示すように、照明システムとしては、照明器具であるスポットライト11を示す。
【００１４】
スポットライト11は、筐体12、この筐体12内に配置された光源部13、筐体12の前部に配置された鏡胴14、およびこの鏡胴14を筐体12に対して支持するとともに光軸（ｚ）方向に移動させる移動機構15を備えている。そして、筐体12、光源部13および移動機構15によって共通器具部16が構成され、この共通器具部16に異種の鏡胴14が組み合わされている。
【００１５】
そして、筐体12は、前面に鏡胴14が光軸方向に進退可能に配置される開口部20が形成された箱状に形成されている。筐体12の上面、下面、背面および側面等には、光源部13（口述する放熱器）の位置に対応して、筐体12の内外に通気可能な通気部21が形成されている。筐体12の両側面は、逆Ｕ字形のアーム22の両端に固定ハンドル23によって締め付け固定されている。アーム22はスタジオや舞台等の天井側に設置されるバトンに吊り下げられる。固定ハンドル23を緩めて、アーム22に対する筐体12の上下方向の角度を調整可能とし、すなわちスポットライト11の投光方向を調整可能としている。
【００１６】
また、光源部13は、基板にＬＥＤや有機ＥＬなどの複数の発光素子26を実装して構成された面光源である光源27、およびこの光源27の基板の背面側が熱的に接続されて取り付けられた放熱器28を有している。光源27には、例えば、基板に複数のＬＥＤを実装し、蛍光体を含有した封止樹脂で複数のＬＥＤを覆ったＣＯＢモジュールが用いられる。放熱器28は、放熱効果を高めるために複数のフィンを備えている。光源部13は筐体12の内部に配置されて固定されている。放熱器28の周辺には筐体12の通気部21が配置されており、放熱器28で温められた空気が通気部21を通じて筐体12外に排気されるとともに温度の低い外気が通気部21を通じて筐体12内に取り込まれ、これにより、放熱器28での良好な自然放熱が可能となっている。
【００１７】
また、鏡胴14は、光軸方向である前後方向に開口した筒状に形成されており、筐体12の開口部20に光軸方向に沿って移動可能に配置されている。鏡胴14の両側面には、鏡胴14の後端部から予め決められた所定の距離位置に、移動機構15（後述する共通取付部）に取り付けるための鏡胴側共通取付部31が設けられている。この鏡胴側共通取付部31は、例えばねじ止め用の複数の取付孔が設けられている。鏡胴14の内部にはレンズ32が固定配置されている。レンズ32には、光源27の光を投光するために所定の焦点距離の凸レンズ等が用いられている。鏡胴14の前端には、例えばフィルタ等を装着するための装着部33が設けられている。
【００１８】
また、移動機構15は、筐体12内の両側に光軸方向に沿って移動可能に配置された共通取付部としての筐体側共通取付部36を備えている。この筐体側共通取付部36は、例えばボールベアリングを内蔵したスライドレール37であり、筐体12に取り付けられたスライドレール受38に対して光軸方向にスライド可能に支持されている。筐体側共通取付部36には、鏡胴14の鏡胴側共通取付部31に対応して、例えばねじ止め用の複数の取付孔が設けられている。そして、複数のねじ39を筐体側共通取付部36の取付孔を通じて鏡胴14の鏡胴側共通取付部31の取付孔に螺着することにより、筐体側共通取付部36と鏡胴14の鏡胴側共通取付部31とが固定されている。なお、筐体側共通取付部36および鏡胴14の鏡胴側共通取付部31は、ねじ止め用の取付孔に限らず、互いに固定することが可能な他の共通の取付構造を用いてもよい。
【００１９】
移動機構15は、鏡胴14を光軸方向に移動させるための送りハンドル40を備えている。この送りハンドル40は、筐体12の背面側に回動操作可能に配置され、筐体12内に光軸方向に沿って配置された送り軸41と一体に連結されている。送り軸41には、螺旋溝が形成され、この送り軸41の螺旋溝に送り部材42が螺合されている。この送り部材42と筐体側共通取付部36とが連結されている。したがって、送りハンドル40によって送り軸41を一方または他方に回動させることにより、送り部材42を介して筐体側共通取付部36および鏡胴14が一体に光軸方向の前方または後方に移動するように構成されている。
【００２０】
そして、図１に示すスポットライト11は、例えば投光距離１０ｍ程度の器具であり、対応する焦点距離のレンズ32を搭載した鏡胴14（以下、鏡胴14aと呼ぶ）が用いられている。
【００２１】
光源27の点灯により、光源27が発生する光がレンズ32によって投光される。点灯時に光源27が発生する熱が放熱器28に熱伝導され、放熱器28に熱伝導された熱が筐体12の通気部21を通じた放熱器28に対する空気の流通によって良好に放熱される。
【００２２】
図１および図３（図３では共通取付部31，36の図示を省略している）には、送りハンドル40を操作して、鏡胴14aを光軸方向の前方へ移動させた状態であって、鏡胴14aが筐体12より突出した状態を示す。この状態では、光源27とレンズ32との距離が大きく、レンズ32による投光円径が小さいスポット（集光）状態となる。
【００２３】
図４（図４では共通取付部31，36の図示を省略している）には、送りハンドル40を逆方向に操作して、鏡胴14aを光軸方向の後方へ移動させた状態であって、鏡胴14aが筐体12に収容された状態を示す。この状態では、光源27とレンズ32との距離が小さく、レンズ32による投光円径が大きいフラッド（拡散）状態となる。
【００２４】
送りハンドル40の操作により、スポット状態とフラッド状態との間で投光円径を連続的に変化させることができる。
【００２５】
そして、レンズ32を搭載した鏡胴14aが移動する器具構造であるため、レンズ32と鏡胴14aとの位置関係が変化することがなく、フラッド状態のときにレンズ32から出射する光が鏡胴14aの内側で遮られてしまう、いわゆる光のけられが発生するのを防止することができる。
【００２６】
また、図２に示すスポットライト11は、例えば投光距離１５〜２０ｍ程度の器具であり、図１に示すスポットライト11のレンズ32よりも焦点距離が長いレンズ32を搭載した鏡胴14（以下、鏡胴14bと呼ぶ）を用いている。鏡胴14bは、図１に示す鏡胴14aよりも長い以外は共通の形状に形成されており、鏡胴側共通取付部31の位置も鏡胴14bの後端部から予め決められた所定の距離位置であって鏡胴14aと共通の位置である。そのため、鏡胴14bの鏡胴側共通取付部31を移動機構15の筐体側共通取付部36に取り付けることが可能であり、鏡胴14bを図１に示すスポットライト11と同じ共通器具部16と組み合わせることが可能である。
【００２７】
このように構成された照明システムでは、異種のレンズ32を搭載した鏡胴14以外の器具部品、すなわち筐体12、光源部13および移動機構15等の共通器具部16は共通化を図ることができる。
【００２８】
また、異種のレンズ32であっても、共通の鏡胴14を用いることが可能な場合もあり、この場合には、鏡胴14も共通化できる。
【００２９】
また、スポットライト11の用途変更に対応して、鏡胴14のみを共通器具部16に対して交換することもできる。
【００３０】
なお、異種のレンズ32は、焦点距離の異なる種類に限らず、他のレンズ形態が異なる種類でもよい。
【００３１】
また、照明器具としては、スポットライト11に限らず、レンズを用いた照明器具であれば、いずれの照明器具でも適用できる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
12    筐体
13    光源部
14    鏡胴
15    移動機構
26    発光素子
27    光源
28    放熱器
32    レンズ
36    共通取付部としての筐体側共通取付部
【図１】
2015095336.tif 000003
【図２】
2015095336.tif 000004
【図３】
2015095336.tif 000005
【図４】
2015095336.tif 000006